(57)【要約】【課題】構造簡潔で製作しやすく、安価であり、携帯に便利な傘収容ケースを提供すること。【課題を解決するための手段】  線材で螺旋状に形成された傘収容空間の上部に傘出し入れ口が開口され、傘出し入れ口側に他の部材や壁掛けフック等に係止可能な係止部が設けられたものである。傘収容空間を下端に向けて次第に先細りにすることもできる。傘収容空間の下部に水受け具を設けることもできる。傘収容空間の上端部と下端部が線材を二重以上に密に重ね巻きして補強することができる。【選択図】図１
2010051716.tif 000002
【特許請求の範囲】
【請求項１】
傘出し入れ口のある傘収容空間を備えた傘ケースにおいて、傘収容空間が線材で螺旋状に形成され、その傘収容空間の上部に傘出し入れ口が開口され、傘出し入れ口側に係止部設けられたことを特徴とする傘収容ケース。
【請求項２】
請求項１記載の傘収容ケースにおいて、傘収容空間が下端に向けて次第に先細りに形成されたことを特徴とする傘収容ケース。
【請求項３】
請求項１又は請求項２記載の傘収容ケースにおいて、傘収容空間の下部に水受け具を備えたことを特徴とする傘収容ケース。
【請求項４】
請求項１乃至請求項３のいずれかに記載の傘収容ケースにおいて、傘収容空間の上端部と下端部は、線材が二重以上に密に重ね巻きされたものであることを特徴とする傘収容ケース。
【発明の詳細な説明】
【技術分野】
【０００１】
本願発明は傘を出し入れ可能な傘収容ケースに関する。
【背景技術】
【０００２】
外出先で傘を収容する傘収容ケースには様々なものがある。一例として、テープ状の板材を螺旋状に成形したもの（特許文献１）や、伸縮式にして伸ばすと傘を収容可能な筒状になるもの（特許文献２）、ゴム状製の伸縮式傘袋（特許文献３）などがある。
【０００３】
【特許文献１】特開２００５−２３７５７２号公報
【特許文献２】特開２００５−１２４９６４号公報
【特許文献３】特開２００２−２０９６１９号公報
【発明の開示】
【発明が解決しようとする課題】
【０００４】
しかし、従来の傘収容ケースは、構造が複雑であるため製造に手間がかかり、コスト高になるとか、持ち運びに不便であるという難点がある。
【０００５】
本願発明が解決しようとする課題は、構造簡潔で製作しやすく、安価であり、携帯に便利な傘収容ケースを提供することにある。
【課題を解決するための手段】
【０００６】
本願発明の傘収容ケースは、請求項１記載のように、傘出し入れ口のある傘収容空間を備えた傘ケースであって、傘収容空間が線材で螺旋状に形成され、その傘収容空間の上部に傘出し入れ口が開口され、傘出し入れ口側に係止部が設けられたものである。請求項２記載のように、傘収容空間を下端に向けて次第に先細りにすることもできる。請求項３記載のように、傘収容空間の下部に水受け具を設けることもできる。請求項４記載のように、傘収容空間の上端部と下端部が線材を二重以上に密に重ね巻きされたものとすることができる。
【発明の効果】
【０００７】
本願発明の傘収容ケースには、次のような効果がある。
（１）一本の線材を螺旋状に巻くだけで製作できるので、容易且つ安価に製作できる。
（２）一本の線材で形成されているため構成がシンプルである。
（３）上部に傘出し入れ口が開口され、傘の出し入れが容易であるため、子供からお年寄りまで幅広い年代の人が手軽に使用できる。
（４）傘出し入れ口側に係止部があるので、それをランドセル、バックパック等のかばん類に掛けることができ、手に持つ必要がないので両手の自由が確保される。
（５）傘収容空間を下端に向けて次第に細くなるようにしたので、傘出し入れ口から傘収容空間内に差し込むだけで傘が安定する。
（６）傘収容空間の上端部と下端部の線材が二重以上に密に重ね巻きされているので、傘収容空間が変形し難く、形状が安定する。
（７）傘収容空間は線材が螺旋状に巻かれたものであるため、螺旋間隔を伸縮させることにより、傘収容ケースの長さを調節することもできる。
【発明を実施するための最良の形態】
【０００８】
（実施形態１）
本願発明の傘収容ケースの実施形態の一例について図１に基づいて説明する。この実施形態の傘収容ケースは、金属製の線材１を螺旋状に巻いて傘出し入れ口２のある傘収容空間３を製作し、その傘出し入れ口２側に係止部４を設けたものである。
【０００９】
前記線材１は、既存のアルミ製の断面形状が真円の丸線であるが、材質は他の金属であってもよく、例えば、鉄・銅などの金属や合成樹脂やゴム等を使用することができる。線材の断面形状も楕円とか角形といった他の形状であってもよい。線材の太さは強度、重さ、加工性等の面から任意に選択することができ、例えば、細い線材を使用して軽量化を図れば子供用又はお年寄り用として好適な傘収容ケースとすることができる。
【００１０】
前記傘収容空間３は線材１を間隔をあけて螺旋状に巻くことによって形成する。線材１は傘出し入れ口２側から下部に向けて次第に細くなるように螺旋巻きしてある。傘出し入れ口２側端部は巻き間隔を密にして三重に巻き、下端部は同様に二重巻きにして、夫々の端部の強度を向上させてある。重ね巻きの巻き数は四重以上にすることもできる。線材１の巻き間隔、巻き数、巻き径などは傘収容空間３のサイズに合わせて任意に選択することができるが、巻き間隔は傘５を傘収容空間３内に差し込むときに傘５の先端が線材１の間の空間からから外に飛び出さない程度にするのが望ましい。傘収容空間３は傘５を取り出し易くするため、傘５の全長よりも浅く（短く）して、傘収容空間３内に収用した傘５の柄６が傘出し入れ口２の外に突出するようにしておくことが望ましい。
【００１１】
線材１の一端は傘出し入れ口２よりの外に引き出して係止部４としてある。係止部４は下向きにコ字状又はＬ字状に折り曲げて図２のようにランドセル８のベルト９に係止できるようにしてあり、更に、先端をリング７にして壁の鉤やフックなどに係止できるようにしてある。リング７は傘収容空間３の外側に向けて開口させて前記鉤やフックなどに係止し易くしてあるが、その開口方向は横向き、下向きといたように係止する箇所に合せて任意に選択することができる。リング７の形状は円形のみならず、三角形、四角形などの多角形や、星型、ハート型などのデザイン化されたものであってもよい。リング７は場合によっては設ける必要がない。
【００１２】
（その他の実施形態）
本願発明の傘収容ケースは、傘収容空間３の下部に傘５から滴り落ちる水滴を受けるための水受け具１０（図３）を設けることができる。水受け具１０は例えば金属製や樹脂製のカップ状のものを使用し、それを傘収容空間３の下部内側に上方から差し込むことにより設けることができる。水受け具１０は傘収容空間３の下部外側に設けることもできる。水受け具１０は傘収容空間３に固定することも、脱着式とすることもできる。
【００１３】
傘収容空間３の外周面又は内周面には、傘５から滴り落ちる水滴の外部への落下や漏出の防止のためにカバーを取付けることもできる。カバーの素材は防水性、撥水性のある樹脂、防水・撥水加工を施した布材などが適する。カバーの形状は傘収容空間３の内径と相似形の筒状が適し、傘収容空間３への取付けは接着剤による接着、クリップ類での保持、傘収容空間３の内側への圧入、外周へ密に被せる等して行なうことができる。
【００１４】
（使用例）
本願発明の傘収容ケースの使用例を図２に基づいて説明する。この使用例は、子供が不使用時の傘５を収容した本願発明の傘収容ケースを、ランドセル８の側面のベルト９に、傘収容ケースの係止部４を係止して、傘収容ケースをランドセル８に取り付けた場合である。この傘収容ケースへの傘５の収容は、傘収容ケースをランドセル８に取付けてから行なうことも、ランドセル８に取付ける前に行なうこともできる。いずれの場合も、傘収容ケースの傘出し入れ口２から傘５を押し込み、傘５の石突き１１が傘収容ケースに取り付けた受け皿に押し当たる位置まで傘５を押し込む。図２のようにランドセル８に係止すれば傘５を手で持つ必要がないため両手が自由になり、手に他の物を持つことができ、歩行もし易くなる。この場合、傘収容ケースに水受け具１０をセットしておけば雨で濡れた傘５を収容しても傘５から落下する水滴が水受け具１０に受けられ、傘収容ケースにカバーを取付けておけば傘５から落下する水滴が傘収容ケースの外に落下したり、濡れている傘５でランドセル８を背負っている子供の洋服が濡れたりすることがない。傘収容ケース内の傘５を使用する場合は、傘５を傘出し入れ口２から抜き出して開けばよい。
【産業上の利用可能性】
【００１５】
本願発明の傘収容ケースは、ランドセルやバックパック等の鞄類のみならず、壁のフックに係止するとか、椅子の背凭れや自動車のシートや電車の手摺りなど様々な場所に係止等することができる。
【図面の簡単な説明】
【００１６】
【図１】本願発明の傘収容ケースに傘を入れる途上の斜視図。
【図２】本願発明の傘収容ケースをランドセルに取付けた状態を示す斜視図。
【図３】本願発明の傘収容ケースに水受け具を取付けた状態を示す斜視図。
【符号の説明】
【００１７】
１  線材
２  傘出し入れ口
３  傘収容空間
４  係止部
５  傘
６  （傘の）柄
７  リング
８  ランドセル
９  ベルト
１０  水受け具
１１  石突き
【図１】
2010051716.tif 000003
【図２】
2010051716.tif 000004
【図３】
2010051716.tif 000005